(57)【特許請求の範囲】
【請求項１】
便器と、便器を洗浄する水を貯えるタンクと、タンク内の水と熱交換する第１熱交換器と膨張弁と空調エアと熱交換する第２熱交換器と圧縮機を順に接続した空調手段とを備え、タンク内に洗浄水が流通可能な熱交換器配置空間を区画形成し、この熱交換器配置空間内に第１熱交換器を配置したトイレ装置であって、前記タンクは上方から水を補給されるものであり、前記熱交換器配置空間は上面が開放され側面下部に制限通水口が形成された仕切枠にて区間形成したことを特徴とするトイレ装置。
【請求項２】
仕切枠は、タンク底部から立上るように形成されたことを特徴とする請求項１記載のトイレ装置。
【請求項３】
便器と、便器を洗浄する水を貯えるタンクと、タンク内の水と熱交換する第１熱交換器と膨張弁と空調エアと熱交換する第２熱交換器と圧縮機を順に接続した空調手段とを備え、第１熱交換器を、その最小寸法の辺を上下方向を向け、他の２方向の辺で囲まれた面をタンク底面と平行にしてタンク底部近傍に配設したトイレ装置であって、第１熱交換器をタンク底部のフロート弁の座部と一体化させたことを特徴とするトイレ装置。
【発明の詳細な説明】
【０００１】
【発明の属する技術分野】
本発明はトイレ装置に関し、特に空調手段を備えたトイレ装置に関するものである。
【０００２】
【従来の技術】
空調手段を備えたトイレ装置は、例えば特公昭６１−３８９７４号公報（特開昭５８−２６９４１号公報）や実開昭５８−１５５５２３号公報等に開示されているように従来から知られている。その空調手段においては、凝縮器が便器の洗浄水を貯めるタンクの水と熱交換するように構成されており、またタンク中の高温になった洗浄水を便器に排出するようにしたものが開示されている。
【０００３】
【発明が解決しようとする課題】
しかしながら、上記従来のトイレ装置では空調手段の凝縮器がタンク内に単純に縦長状態で配置されており、そのため空調手段の運転中にタンク内の洗浄水を便器に流した場合、凝縮器の全体が洗浄水に浸漬されて所定の熱交換効率が確保されるまでにかなりの時間を要することになる。そのため、タンクの洗浄水を流した後は暫く空調が殆どきかなくなり、不快感を与えるという問題があった。
【０００４】
また、タンク内に配設されているフロート弁とかボールタップ等の可動部品と凝縮器とが干渉し易く、凝縮器の配設が困難であるという問題もあった。
【０００５】
本発明は、上記従来の問題点に鑑み、タンク内の洗浄水を便器に流した場合でも、空調手段をほぼ正常運転状態に維持できるトイレ装置を提供することを目的としている。
【０００６】
【課題を解決するための手段】
本願の第１発明のトイレ装置は、便器と、便器を洗浄する水を貯えるタンクと、タンク内の水と熱交換する第１熱交換器と膨張弁と空調エアと熱交換する第２熱交換器と圧縮機を順に接続した空調手段とを備え、タンク内に洗浄水が流通可能な熱交換器配置空間を区画形成し、この熱交換器配置空間内に第１熱交換器を配置したトイレ装置であって、前記タンクは上方から水を補給されるものであり、前記熱交換器配置空間は上面が開放され側面下部に制限通水口が形成された仕切枠にて区間形成したことを特徴とする。
【０００７】
本願の第２発明のトイレ装置は、便器と、便器を洗浄する水を貯えるタンクと、タンク内の水と熱交換する第１熱交換器と膨張弁と空調エアと熱交換する第２熱交換器と圧縮機を順に接続した空調手段とを備え、第１熱交換器を、その最小寸法の辺を上下方向を向け、他の２方向の辺で囲まれた面をタンク底面と平行にしてタンク底部近傍に配設したトイレ装置であって、第１熱交換器をタンク底部のフロート弁の座部と一体化させたことを特徴とする。
【０００８】
本願の第１発明によれば、タンク内の水を流し終わった時にも第１熱交換器は仕切枠内に残った水と熱交換し、かつその仕切枠内の水が制限通水口から多量に流出する前に給水された冷たい水が仕切枠内に流入するので、第１熱交換器は継続的に熱交換され、またタンク内に水を貯めた状態でもタンク下部の冷たい水が制限通水口から仕切枠内に流入し、熱交換によって温まった水は仕切枠の上方に向けて対流して仕切枠内の水が絶えず流動するので、第１熱交換器は効率良く熱交換され、空調手段の正常な運転が確実に継続され、快適にトイレを使用できる。
【０００９】
本願の第２発明によれば、フロート弁の座部によってタンク底部に死水領域を形成でき、この死水領域の洗浄水によって第１熱交換器が常に冷却され、タンクの水を流した場合にも空調手段はほぼ正常な運転が継続され、快適にトイレを使用できる。また、第１熱交換器がタンク内に配設される他の部材と干渉するのを避けることができるとともに、コンパクトに省スペースで設置することができ、さらに第１熱交換器で死水領域を埋めることとなるのでタンク内の死水量を減らすことができる。また、フロート弁の座部の固定と同時に第１熱交換器を設置することができる。
【００１１】
【発明の実施の形態】
以下、本発明のトイレ装置を温水洗浄便座付きのトイレ装置に適用した第１の実施形態について図１、図２を参照して説明する。
【００１２】
空調手段を備えた温水洗浄便座付きのトイレ装置の全体構成を示す図２において、１は便器、２はその便槽であり、便器１上に温水洗浄便座３が設置されている。この温水洗浄便座３の本体部４に便器の洗浄水を収容するロータンクが一体的に内蔵されている。温水洗浄便座３は、便座５とその上を覆う便蓋６を備え、それぞれ便器１上に設置された水平姿勢と本体部４前面に沿うように立てた起立姿勢との間で上下回動可能に構成されている。７は便槽２内の後部に出退可能に配設された洗浄ノズルである。
【００１３】
本体部４内の下部にはロータンク８が配設され、その底面に便器１内に向けて洗浄水を排出する排水弁９が設けられている。この排水弁９は本体部４の上部一側外面に配設された排水コック１０を操作することによって開弁するように連動手段１１と連結されている。また、ロータンク８の側部には比較的小容量の温水洗浄用タンク１２が配設されている。この温水洗浄用タンク１２内にはヒータ（図示せず）と温度検出器（図示せず）が配設されて収容されている洗浄水を４０℃程度の一定温度に加熱・保温し、所要時にこの洗浄水を洗浄ノズル７に向けて圧送するように構成されている。
【００１４】
本体部４内には、図１、図２に示すように、冷房時に凝縮器として機能する第１熱交換器１４と膨張弁１５と冷房時に蒸発器として機能する第２熱交換器１６と圧縮機１７とから成る空調手段１３が配設されている。そして、第１熱交換器１４は、ロータンク８内の洗浄水と熱交換するようにロータンク８内に浸漬配置され、ロータンク８の上部にはキャピラリチューブなどから成る膨張弁１５、空調エアと熱交換する第２熱交換器１６、及び圧縮機１７が配設され、これらが冷媒配管１８にて順次接続されている。
【００１５】
第１熱交換器１４は、その最小寸法の辺を上下方向を向け、他の２方向の辺で囲まれた面をタンク底面と平行になるようにしてロータンク８の底部近傍に配設されている。また、第２熱交換器１６は、上端部が本体部４の上端部前面に配設された送風口２０に接続された風洞１９内に配設されており、送風口２０の背部には送風ファン２１が配設されている。
【００１６】
なお、空気吸込口（図示せず）が本体部４の両側面や背面側に形成され、脱臭フィルタ（図示せず）が配設されている。また、第２熱交換器１６の下部にはドレイン受け２２が配設され、溜まったドレインをロータンク８内に排出する排水パイプが設けられている。
【００１７】
以上の構成によれば、空調手段１３を使用している状態で、ロータンク８内の洗浄水を便器１に流した場合にも、ロータンク８の底部近傍にその底面と平行に第１熱交換器１４を配設しているために、第１熱交換器１４は最後まで水に浸漬しているとともに、排水後にロータンク８内に給水されると速やかに第１熱交換器１４が水に浸漬される。したがって、ロータンク８の洗浄水を流した場合にも空調手段１３はほぼ正常な運転が継続され、従来のようにタンクの洗浄水を流した後は暫く空調が殆どきかなくなるというようなことがなく、快適にトイレを使用できる。
【００１８】
次に、本発明のトイレ装置の第２の実施形態について、図３を参照して説明する。なお、トイレ装置の全体構成は上記実施形態において図２で説明したものと同じであり、ここでの説明は省略する。また、このことは以下の実施形態についても同様である。
【００１９】
本実施形態においては、排水弁９としてのフロート弁の座部２３がロータンク８の底部に突出しており、その座部２３の上端までの高さに応じてロータンク８の底部に死水領域２４が発生しており、その死水領域２４に一部又は全部が浸漬するように第１熱交換器１４が配設されている。
【００２０】
このような構成によれば、フロート弁の座部２３によって生じた死水領域２４の洗浄水によって第１熱交換器１４が常に冷却され、ロータンク８の水を流した場合にも空調手段１３はほぼ正常に運転が継続され、快適にトイレを使用できる。また、第１熱交換器１４がロータンク８内に配設されるフロート弁とかボールタップ等の他の部材と干渉するのを避けることができるとともに、コンパクトに省スペースで設置することができ、さらに第１熱交換器１４で死水領域２４を埋めることとなるのでロータンク８内の死水量を減らすことができる。
【００２１】
次に、本発明のトイレ装置の第３の実施形態について、図４を参照して説明する。
【００２２】
本実施形態においては、第１熱交換器１４がロータンク８の底部のフロート弁の座部２３と一体化されている。このような構成によると、フロート弁の座部２３をロータンク８の底部にナット等で固定する際に、それと同時に第１熱交換器１４を設置することができ、第１熱交換器１４の配設作業を簡単にでき、また他の部材との干渉も無くすことができる。
【００２３】
次に、本発明のトイレ装置の第４の実施形態について、図５を参照して説明する。
【００２４】
図５は、本実施形態の要部であるロータンク８と第１熱交換器１４の配置構成のみを図示している。本実施形態においては、ロータンク８の底部に上面が開放された仕切枠２６にて熱交換器配置空間２５が区画形成され、この仕切枠２６の下部には複数の小さな切欠開口から成る制限通水口２７が形成されている。そして、熱交換器配置空間２５内に第１熱交換器１４が配置されている。また、ロータンク８への給水管２８は、熱交換器配置空間２５内に向けて水を給水するように配設されている。
【００２５】
以上の構成によれば、ロータンク８内の洗浄水を流し終わった状態でも、制限通水口２７によって流出が制限されているために仕切枠２６内の熱交換器配置空間２５には洗浄水が残り、第１熱交換器１４はこの熱交換器配置空間２５内に残った洗浄水と熱交換し、かつその仕切枠２６内の水が制限通水口２７から多量に流出する前に、給水管２８から熱交換器配置空間２５内に向けて冷たい水が流入するので、第１熱交換器１４は継続的に熱交換される。また、ロータンク８内に水を貯めた状態でもロータンク８の底部の冷たい水が制限通水口２７から熱交換器配置空間２５内に流入し、熱交換によって温まった水は仕切枠２６の上方に向けて対流して熱交換器配置空間２５内の水が絶えず流動するので、第１熱交換器１４は効率良く熱交換される。かくして、空調手段１３の正常な運転が確実に継続され、快適にトイレを使用できる。
【００２６】
次に、本発明のトイレ装置の第５の実施形態について、図６を参照して説明する。
【００２７】
本実施形態では、ロータンク８内の側部に仕切部材２９にて縦長の熱交換器配置空間３０が区画形成され、その内部に第１熱交換器１４が配設されている。仕切部材２９にはロータンク８内との間で洗浄水が流通する通水開口２９ａが適宜に形成されている。
【００２８】
このような構成によれば、第１熱交換器１４を他の部材との干渉を避けて容易に配置することができ、またロータンク８内の洗浄水を流した場合にも後まで洗浄水が熱交換器配置空間３０内に残って第１熱交換器１４の冷却性能を確保できるとともに、満水時にはロータンク８内との間で通水開口２９ａを通して洗浄水が流通するので冷却能力が低下することもなく、空調性能を維持できる。
【００２９】
上記実施形態では、本発明を温水洗浄便座付きのトイレ装置に適用した例を説明したが、本発明は便器の洗浄水を貯めるタンクを備えたトイレ装置であれば、どのようなタイプのトイレ装置にも適用できることは、改めて説明するまでもない。
【００３１】
【発明の効果】
本発明のトイレ装置によれば、タンク底部の死水領域の洗浄水によって第１熱交換器が常に冷却され、タンクの水を流した場合にも空調手段はほぼ正常な運転が継続され、快適にトイレを使用でき、また第１熱交換器がタンク内に配設される他の部材と干渉するのを避けることができるとともに、コンパクトに省スペースで設置することができ、さらに第１熱交換器で死水領域を埋めることとなるのでタンク内の死水量を減らすことができる。
【００３２】
また、第１熱交換器をタンク底部のフロート弁の座部と一体化させているので、フロート弁の座部の固定と同時に第１熱交換器を設置することができ、また他の部材との干渉も無くすことができる。
【００３３】
また別の本発明のトイレ装置によれば、第１熱交換器を他の部材との干渉を避けて容易に配置することができ、またタンク内の洗浄水を流した場合にも洗浄水が後まで残って冷却性能を確保できるとともに、満水時にはタンク内との間で洗浄水が流通するので冷却能力が低下することもなく、空調性能を維持できる。
【００３４】
特に、熱交換器配置空間が、上面が開放され側面下部に制限通水口が形成された仕切枠にて区画形成されているので、タンク内の水を流し終わった時にも第１熱交換器は仕切枠内に残った水と継続的に熱交換され、またタンク内に水を貯めた状態でも仕切枠内の水が制限通水口を通って絶えず流動するので、第１熱交換器は効率良く熱交換され、空調手段の正常な運転が確実に継続され、快適にトイレを使用できる。
【図面の簡単な説明】
【図１】本発明のトイレ装置の第１の実施形態の要部であるタンクと空調手段の概略配置構成図である。
【図２】同実施形態のトイレ装置を一部破断して内部の配置構成を示した斜視図である。
【図３】本発明のトイレ装置の第２の実施形態の要部の概略配置構成を示す縦断面図である。
【図４】本発明のトイレ装置の第３の実施形態の要部の概略配置構成を示す縦断面図である。
【図５】本発明のトイレ装置の第４の実施形態の要部の概略配置構成を示し、（ａ）は縦断面図、（ｂ）は（ａ）のＡ−Ａ矢視横断平面図である。
【図６】本発明のトイレ装置の第５の実施形態の要部の概略配置構成を示す縦断面図である。
【符号の説明】
１  便器
８  ロータンク
１３  空調手段
１４  第１熱交換器
１５  膨張弁
１６  第２熱交換器
１７  圧縮機
２３  フロート弁の座部
２４  死水領域
２５  熱交換器配置空間
２６  仕切枠
２７  制限通水口
３０  熱交換器配置空間
【図１】
0003850564.tif 000002
【図２】
0003850564.tif 000003
【図３】
0003850564.tif 000004
【図４】
0003850564.tif 000005
【図５】
0003850564.tif 000006
【図６】
0003850564.tif 000007